(57)【特許請求の範囲】
【請求項１】
部品が組み込まれた対向する一対のシェルと、一対の前記シェルの内部に収納された情報記録媒体であるディスクとを有し、
前記部品の１つであるシャッター部を避けるようにして一対の前記シェルの一端部を一端部結合手段で押圧することにより、一対の前記シェルの一端部を結合し、
この状態で、一対の前記シェルの他端部を開口し、
開口されている一対の前記シェルの他端部から前記ディスクを挿入するディスクカートリッジの製造方法において、
前記ディスクを挿入する際に、前記ディスク厚よりも略厚めで前記ディスク径よりも略大径の扁平な筒型状に形成され、前記ディスクを挿入するためのディスク挿入孔及び該ディスク挿入孔から挿入した前記ディスクをスライドさせるためのディスクスライドガイド板を有するディスクスライドガイドを使用し、前記ディスクスライドガイド板を、一対の前記シェルの他端部の開口からカートリッジ内に挿入したのちに、前記ディスクを、前記ディスク挿入孔から前記ディスクスライドガイド板に沿わせて前記カートリッジ内に挿入して、該カートリッジの円弧状リブに接触させることにより前記ディスクを前記カートリッジ内に収納することを特徴とするディスクカートリッジの製造方法。
【請求項２】
一対の前記シェルの他端部が一端部の位置よりも上になるように略垂直に一対の前記シェルを配置し、一対の前記シェルの他端部の開口からカートリッジ内に前記ディスクスライドガイドのディスクスライドガイド板を挿入したのちに、前記ディスクを、前記ディスク挿入孔から前記ディスクスライドガイド板に沿わせて前記カートリッジ内に自重により落下させて、該カートリッジの円弧状リブに接触させることにより前記ディスクを前記カートリッジ内に収納する請求項１に記載のディスクカートリッジの製造方法。
【請求項３】
前記ガイドの前記ディスク接触部分に帯電防止が施されている請求項１に記載のディスクカートリッジの製造方法。
【請求項４】
請求項1記載の製造方法の実施に直接使用するディスクカートリッジの製造装置であって、
部品の１つであるシャッター部を避けるようにして部品が組み込まれた一対の前記シェルの一端部を結合するための一端部結合手段と、
前記一端部結合手段により一対の前記シェルの一端部が結合されている状態で、一対の前記シェルの他端部を開口するための他端部開口手段と、
開口されている一対の前記シェルの他端部から前記ディスクを挿入するセッティング手段と、を備え、
前記セッティング手段は、前記ディスク厚よりも略厚めで前記ディスク径よりも略大径の扁平な筒型状に形成され、前記ディスクを挿入するためのディスク挿入孔及び該ディスク挿入孔から挿入した前記ディスクをスライドさせるためのディスクスライドガイド板を備えたディスクスライドガイドで構成されていることを特徴とするディスクカートリッジの製造装置。
【請求項５】
磁石の磁力を利用して前記ディスクのストッカーから一対の前記シェルの他端部まで前記ディスクを搬送する磁気吸着搬送手段を備えた請求項４に記載のディスクカートリッジの製造装置。
【発明の詳細な説明】
【０００１】
【発明の属する技術分野】
本発明は、情報記録媒体であるディスクを収納したディスクカートリッジの製造方法及び製造装置並びにディスクカートリッジに関するものである。
【０００２】
【従来の技術】
光ディスクや磁気ディスクは、取り扱いの簡便さを得るために、カートリッジに収納されている。図３０は、従来のディスクカートリッジの一例を示す分解斜視図である。このディスクカートリッジ１１０は、情報記録媒体としてのディスク１２０と、このディスク１２０を回転可能に収容しているカートリッジ１３０と、このカートリッジ１３０にスライド可能に取り付けられたシャッター１４０等とを備えている。
ディスク１２０は、ポリカーボネート、ポリスチレン、ポリオレフィン、ポリメチルメタクリレート、ノルボルネン系などの合成樹脂やアルミニウム或いはガラス等によりリング状に形成されている。ディスク１２０は、主面部に光記録層や光磁気記録層１２１が形成され、中央部に磁性金属製のチャッキングハブ（センターコア）１２２が取り付けられている。
【０００３】
カートリッジ１３０は、ＡＢＳ、ポリカーボネートといった熱可塑性樹脂の射出成型により扁平な筐体状に形成されている。カートリッジ１３０は、上シェル１３１と下シェル１３２が重ね合わされ、ビス１３３、・・・、１３３で結合されている。上シェル１３１は、前端側（ドライブ装置への挿入方向の先端側）の中央部に記録再生用の開口部１３１ａが形成され、内面側の周縁部に同一円周上の第１〜第４の円弧状のリブ１３１ｂ〜１３１ｅが形成されており、これらのリブ１３１ｂ〜１３１ｅによってディスク１２０を回転可能に収容する円形状の強固なディスク収容部１３１ｆが形成されている。下シェル１３２は、上記上シェル１３１と同様に記録再生用の開口部１３２ａ、第１〜第４の円弧状のリブ１３２ｂ〜１３２ｅ、円形状のディスク収容部１３２ｆが形成されていると共に、ディスク収容部１３２ｆの中央部にディスク１２０のチャッキングハブ１２２が臨む駆動用（スピンドル軸挿入用）の開口部１３２ｇが形成されている。
【０００４】
シャッター１４０は、厚さ０．１５ｍｍ〜０．４ｍｍ程度のステンレス、アルミニウムといった金属製薄板のプレスによる打ち抜き曲げ加工により、或いはアセタール樹脂の射出成型により断面コの字状に形成されている。シャッター１４０は、カートリッジ１３０の上、下シェル１３１、１３２の外側面に重ね合わされる上、下一対のシャッター板部（開口開閉部）１４１、１４２と、これらシャッター板部１４１、１４２の一端部を連結してなる連結部１４３とによって形成されている。一方のシャッター板部１４１は、上シェル１３１の記録再生用の開口部１３１ａを開閉可能な長さに形成されており、他方のシャッター板部１４２は、下シェル１３２の記録再生用の開口部３２ａと駆動用の開口部１３２ｇの双方を開閉可能な長さに形成されている。
【０００５】
シャッター１４０は、連結部１４３の内面にビス１３３、・・・、１３３によって取り付けられたスライドガイド部材１５０の脚部１５１、１５２を下シェル１３２に設けられたスライドガイド溝１３２ｈに係合して、上、下シェル１３１、１３２でスライドガイド部材１５０を挟んだ状態で、カートリッジ１３０の前端側にスライド可能に取りつけられており、捩りコイルバネ１６０によって付勢されて、記録再生用の開口部１３１ａ、１３２ａ及び駆動用の開口部１３２ｇを閉じた状態に維持している。
なお、下シェル１３２の外面にはシャッター１４０の一方（長い方）のシャッター板部１４２の先端が捲れ上がるのを防止するシャッターガイド板１７０が取りつけられている。また、上シェル１３１の内面には誤消去防止部材１８０がスライド可能に取り付けられている。この誤消去防止部材１８０は、図３１に示すように、両側面に張出部１８１が形成されており、この張出部１８１が、上シェル１３１の内壁に形成されている凹部１３１ｉに係合されている。
【０００６】
以上の構成のディスクカートリッジ１１０は、組立中にディスク１２０表面に粉塵が付着したりカートリッジ１３０内部に粉塵が入り、記録再生に影響を与えることの無いよう、クリーンルーム内にて自動ラインを用いて組立てられる。上、下シェル１３１、１３２は、射出成型された後、変形しないように組み合わされてストックされており、そのままの形態でコンベア上のラインに投入される。先ず、第１工程にて上、下シェル１３１、１３２を分割し、第２工程にて下シェル１３２の外部にシャッターガイド板１７０を貼り付けた後、第３工程にて下シェル１３２の内面の所定の位置にパーツフィーダーから供給された誤消去防止部材１８０を係合し、第４工程にて下シェル１３２のスライドガイド溝１３２ｈにパーツフィーダーから供給されたスライドガイド部材１５０を係合する。
【０００７】
次に、第５工程にて下シェル１３２のディスク収容部１３２ｆにディスクストッカーにストックされている磁性金属製のチャッキングハブ１２２が貼りつけられたディスク１２０を収納載置した後、第６工程にて下シェル１３２と同期してライン状を流れてきた上シェル１３１を重ね合わせ、ビス１３３、・・・、１３３にて結合する。そして、第７工程にて下シェル１３２の外面に貼りつけたシャッターガイド板７と下シェル１３２の間隙にシャッター板部１４２の先端部を差し込み、シャッター１４０の連結部１４３の孔部とスライドガイド部材１５０をビス１３３、・・・、１３３にて結合する。最後に、第８工程にてパーツフィーダーから切りだされて供給された捩りコイルバネ１６０を取りつけ、ディスクカートリッジ１１０を完成する。
【０００８】
このディスクカートリッジ１１０は、検査工程に送られて記録再生検査が行われ、十分な品質が確認されたものは包装工程に送られてインデックスカード、ラベルなどと同梱されプラスチックケース等に収納され、プラスチックフィルム等にて封止されて市場に頒布される。一方、不良と判定されたディスクカートリッジ１１０は、上記組立工程と逆の工程をたどり、ディスク１２０が取り除かれた後、ビス締め時に発生したタッピングスクリューの切り粉等が高圧のクリーンエアにて払拭され、再度組立工程に導入されて新しいディスク１２０が組み込まれる。
【０００９】
【発明が解決しようとする課題】
ところで、上述した従来のディスクカートリッジ１１０を製造する為には、長大な組立ラインと、その組立ラインを設置するための高性能なクリーンエア供給装置を有する大型のクリーンルームとを設置及び維持管理する必要があるという問題がある。
また、中央部に磁性金属製のチャッキングハブ１２２を貼りつけるディスク１２０の製造と、ディスクカートリッジ１１０の組立を同期させるために全体的タクト（単位時間当たりの生産量）の調整が必要となり、組立ラインの可動率が低下してしまうという問題がある。
【００１０】
また、不良と判定されたディスクカートリッジ１１０は、上述したように組立工程と逆の工程及び再度の組立工程をたどる必要があるため、煩雑な作業が要求されるばかりでなく、ディスクカートリッジ１１０の分解の際に部品を破損させて部品の歩留まりを低下させるおそれがあるという問題がある。さらに、上下シェル１３１、１３２の結合に用いているタッピングスクリューの取り外しや締め付けを繰り返すと、上下シェル１３１、１３２の結合強度が低下してしまうため、２度目の不良が発生した場合は上下シェル１３１、１３２を破棄しなければならないという問題がある。
【００１１】
本発明は、上述した事情から成されたものであり、大掛かりな製造設備を不要とし、製造効率が高いディスクカートリッジの製造方法及び製造装置並びにディスクカートリッジを提供することを目的とする。
【００１２】
本願発明にあっては、部品が組み込まれた対向する一対のシェルと、一対の前記シェルの内部に収納された情報記録媒体であるディスクとを有し、前記部品の１つであるシャッター部を避けるようにして一対の前記シェルの一端部を一端部結合手段で押圧することにより、一対の前記シェルの一端部を結合し、この状態で、一対の前記シェルの他端部を開口し、開口されている一対の前記シェルの他端部から前記ディスクを挿入するディスクカートリッジの製造方法において、
前記ディスクを挿入する際に、前記ディスク厚よりも略厚めで前記ディスク径よりも略大径の扁平な筒型状に形成され、前記ディスクを挿入するためのディスク挿入孔及び該ディスク挿入孔から挿入した前記ディスクをスライドさせるためのディスクスライドガイド板を有するディスクスライドガイドを使用し、
前記ディスクスライドガイド板を、一対の前記シェルの他端部の開口からカートリッジ内に挿入したのちに、前記ディスクを、前記ディスク挿入孔から前記ディスクスライドガイド板に沿わせて前記カートリッジ内に挿入して、該カートリッジの円弧状リブに接触させることにより前記ディスクを前記カートリッジ内に収納する構成にした。
また、本願発明にあっては、請求項1記載の製造方法を用いたディスクカートリッジの製造装置であって、部品の１つであるシャッター部を避けるようにして部品が組み込まれた一対の前記シェルの一端部を結合するための一端部結合手段と、前記一端部結合手段により一対の前記シェルの一端部が結合されている状態で、一対の前記シェルの他端部を開口するための他端部開口手段と、開口されている一対の前記シェルの他端部から前記ディスクを挿入するセッティング手段と、を備え、前記セッティング手段を、前記セッティング手段は、前記ディスク厚よりも略厚めで前記ディスク径よりも略大径の扁平な筒型状に形成され、前記ディスクを挿入するためのディスク挿入孔及び該ディスク挿入孔から挿入した前記ディスクをスライドさせるためのディスクスライドガイド板を備えたディスクスライドガイドで構成した。
【００１４】
【発明の実施の形態】
以下、本発明の好適な実施形態を添付図面に基づいて詳細に説明する。
なお、以下に述べる実施形態は、本発明の好適な具体例であるから、技術的に好ましい種々の限定が付されているが、本発明の範囲は、以下の説明において、特に本発明を限定する旨の記載がない限り、これらの形態に限られるものではない。
【００１５】
図１は、本発明のディスクカートリッジの実施形態を構成するカートリッジを示す分解斜視図である。
このカートリッジ１は、ポリカーボネート（ＰＣ）樹脂の射出成型により形成されたシャッターガイド板４が、ＰＣ樹脂、ＡＢＳ樹脂、ＡＳ樹脂などの熱可塑性樹脂の射出成型により形成された下シェル２の外側３の位置に超音波溶着にて貼り付けられている。そして、ポリアセタール（ＰＯＭ）樹脂、ポリプロピレン（ＰＰ）樹脂、ナイロン樹脂などの熱可塑性樹脂の射出成型により形成されたスライドガイド部材５の脚部６が、下シェル２に設けられたスライドガイド溝８に係合されている。さらに、ＰＣ樹脂、ＡＢＳ樹脂、ＡＳ樹脂などの熱可塑性樹脂の射出成型により形成された上シェル７が重ね合わされ、前端部（ドライブ装置への挿入方向の先端部）２１ａが超音波溶着にて結合されている。
【００１６】
そして、厚さ０．３ｍｍのアルミニウム製薄板やステンレス製薄板のプレス加工により、あるいはＰＯＭ樹脂、ＰＰ樹脂などの熱可塑性樹脂の射出成型により形成された略コの字形状のシャッター９、即ち上シェル７側の記録再生用孔部１２を覆うための板部１０と、下シェル２側の記録再生用孔部１３と駆動用開口部１４を覆うための板部１０より長とした板部１１が連結部１５を介して連結された形状のシャッター９が、連結部１５に形成されているビス孔１６に挿入されるビス１７にてスライドガイド部材５に結合されている。このシャッター９は、記録再生用孔部１２、１３、駆動用開口部１４を不用意に開口しないように、スライドガイド部材５の先端部１８と下シェル２の側壁１９の間に取り付けられている捩りコイルバネ２０により、記録再生用孔部１２、１３、駆動用開口部１４を覆うように付勢されている。
【００１７】
以上の構成は、図３０に示す従来のカートリッジ１３０と略同一構成であるが、本実施形態のカートリッジ１はディスク３１のセッティングで異なる構成となっている。即ち、従来のカートリッジ１３０のように上下シェル１３１、１３２の結合前にディスク１２１を予め収納させておくのではなく、シャッタースライド５、シャッター９、捩りコイルバネ２０を組み込んだ後、上下シェル７、２の前端部２１ａは結合するが、後端部２１ｂは未結合状態にしておき、開口自由としてここからディスク３１を挿入した後、後端部２１ｂを結合する構成となっている。
ここで、３．５ＭＦＤのような薄型のカートリッジにおいては、図３２に示すように、カートリッジ５２の上シェル上面５３を吸着エアノズル５４にて開口することができる。ところが、ＰＣ樹脂といった高剛性の材質で成る厚みの厚いカートリッジ１を吸着エアノズル５４にて開口するには、吸着面積を大きくしなければならない。ところが、吸着面積を大きくすると開口時に上シェル７が反った際に吸着部が変形し吸着力が低下してしまうことになるため、カートリッジ１にディスク３１を挿入する間、カートリッジ１の後端部２１ｂを開口維持することが極めて困難になる。そこで、以下の手段が用いられる。
【００１８】
図２は、カートリッジ１へのディスク３１のセッティング手段の第１例を示す斜視図、図３は、その側面図である。
このセッティング手段は、カートリッジ１の前端部２１ａの裏面右端を押圧するカートリッジ押圧部（一端部結合手段）２３ａを有するエアシリンダー（一端部結合手段）２４ａと、シャッター装着部３０を回避して、前端部２１ａの裏面左端を押圧するカートリッジ押圧部（一端部結合手段）２３ｂを有するエアシリンダー（一端部結合手段）２４ｂと、カートリッジ１の前端部２１ａの表面の変形を防止する当て板（一端部結合手段）２６とを備えている。
このような構成において、カートリッジ１の前端部２１ａ側を当て板２６に載置する。エアシリンダー２４ａ、２４ｂを突出させ、カートリッジ１の前端部２１ａをカートリッジ押圧部２３ａ、２３ｂと当て板２６との間に挟持させる。カートリッジ１の後端部２１ｂを上下シェル７、２間にて開口させ、中央部に磁性金属製のチャッキングハブ２９が取り付けられたディスク３１及び図１６〜図１９に示す誤消去防止プラグ２２を後端開口部２７から挿入する。そして、後端開口部２７を結合して上下シェル結合部３２をビス止めすることにより、ディスク３１が収納されたディスクカートリッジ３３が完成する。
【００１９】
尚、上述した例では、カートリッジ１の前端部２１ａの裏面右端を押圧するカートリッジ押圧部２３ａを有するエアシリンダー２４ａと、シャッター装着部３０を回避して、前端部２１ａの裏面左端を押圧するカートリッジ押圧部２３ｂを有するエアシリンダー２４ｂとを別々に備えたが、例えば図４に示すように、シャッター装着部３０を回避した１つの略コの字型のカートリッジ押圧部（一端部結合手段）３５を有するエアシリンダー（一端部結合手段）３６を用いてもよい。
【００２０】
図５は、カートリッジ１へのディスク３１のセッティング手段の第２例を示す斜視図、図６は、その側面図である。
このセッティング手段は、図２、３に示すセッティング手段に加え、下シェル２に貫通開口されている第１基準孔３７を貫通して上シェル７の内面を押圧する棒状開口治具（他端部開口手段）３９ａを有するエアシリンダー（他端部開口手段）４０ａと、下シェル２に貫通開口されている第２基準孔３８を貫通して上シェル７の内面を押圧する棒状開口治具（他端部開口手段）３９ｂを有するエアシリンダー（他端部開口手段）４０ｂとを備えている。
このような構成において、エアシリンダー４０ａ、４０ｂを突出させ、棒状開口治具３９ａ、３９ｂを下シェル２の第１基準孔３７及び第２基準孔３８に挿入して貫通させる。そして、棒状開口治具３９ａ、３９ｂで第１基準孔３７及び第２基準孔３８を覆うように配置されている上シェル７の内面を押し上げさせる。これにより、上シェル７は反って下シェル２から離れ、後端開口部２７が形成されることになる。
【００２１】
尚、上述した例では、第１基準孔３７を貫通して上シェル７の内面を押圧する棒状開口治具３９ａを有するエアシリンダー４０ａと、第２基準孔３８を貫通して上シェル７の内面を押圧する棒状開口治具３９ｂを有するエアシリンダー４０ｂとを別々に備えたが、例えば図７に示すように、棒状開口治具（他端部開口手段）４１ａ、４１ｂが両端部に設けられた１つの連接治具（他端部開口手段）４２を有するエアシリンダー（他端部開口手段）４３を用いてもよい。
さらに、図８に示すように、棒状開口治具４３ａ、４３ｂとカートリッジ押圧部４４ａ、４４ａを１つの連接治具４５に形成しておき、当て板２６をエアシリンダー５０にて押し出すようにしてもよい。尚、第１基準孔３７及び第２基準孔３８の他に、同様に下シェル２に貫通開口されている図５に示す誤消去防止プラグ操作孔４５や上下シェル結合部３２を利用してもよい。
【００２２】
図９は、カートリッジ１へのディスク３１のセッティング手段の第３例を示す断面側面図である。
このセッティング手段は、図５、６に示すセッティング手段と略同一構成であるが、棒状開口治具（他端部開口手段）４６ａ、４６ｂがエアシリンダ（他端部開口手段）４７ａ、４７ｂに貫通装着されており、棒状開口治具４６ａ、４６ｂの下シェル２側の先端部が下シェル２の底面部２ａから離して設置されている。これにより、カートリッジ１を開口するためにカートリッジ１をセッティング手段に設置もしくは移動する際、棒状開口治具４６ａ、４６ｂの下シェル２側の先端部が障害物となってカートリッジ１に傷を付けたり、カートリッジ１の移動を妨げたりすることを防止することができる。
【００２３】
図１０は、カートリッジ１へのディスク３１のセッティング手段の第４例を示す斜視図、図１１（Ａ）、（Ｂ）、（Ｃ）は、その三面図である。
このセッティング手段は、カートリッジ１に挿入されるディスク３１の径５８より内側間隔５９が大きくなるように設定されたカートリッジ後側端開口治具（他端部開口手段）６１ａ、６１ｂを有するエアシリンダ６２ａ、６２ｂを備えている。
このような構成において、カートリッジ後側端開口治具６１ａ、６１ｂをカートリッジ１の後端部２１ｂの上下シェル７、２の側面間６３に挿入し、カートリッジ後側端開口治具６１ａ、６１ｂをエアシリンダ６２ａ、６２ｂを用いて下方に押し下げる。これにより、後端開口部２７が形成されることになる。カートリッジ後側端開口治具６１ａ、６１ｂの内側間隔５９は、ディスク３１の径５８より大きいので、カートリッジ１へのディスク３１挿入の際に、ディスク３１に傷等を付けることなく容易に行うことができる。
【００２４】
図１２は、カートリッジ１へのディスク３１のセッティング手段の第５例を示す側面図である。
このセッティング手段は、図１０、１１に示すセッティング手段に加え、下シェル２の後端部２１ｂの変形を防止する当て板（他端部固定手段）６８を備えている。これにより、カートリッジ後側端開口治具６１ａ、６１ｂを上下シェル７、２の側面間６３に挿入して後端開口部２７を形成させる際、上シェル７の後端部２１ｂのみを反らせることができ、ディスクカートリッジ３３を記録再生装置にセットする際の基準面となる下シェル２の変形などの問題を引き起こすことはない。
【００２５】
図１３は、カートリッジ１へのディスク３１のセッティング手段の第６例を示す斜視図である。
このセッティング手段は、図１０、１１に示すセッティング手段に加え、下シェル２の後端部２１ａの上部を押圧固定する押圧治具（他端部固定手段）７０を有するエアシリンダー（他端部固定手段）６９を備えている。これにより、カートリッジ後側端開口治具６１ａ、６１ｂを上下シェル７、２の側面間６３に挿入して後端開口部２７を形成させる際、あるいは図５、６に示す棒状開口治具３９ａ、３９ｂを下シェル２の第１基準孔３７及び第２基準孔３８に挿入して後端開口部２７を形成させる際、下シェル２を上シェル７に添って変形させることなく分離することが可能となる。
【００２６】
図１４及び図１５は、カートリッジ１へのディスク３１のセッティング手段の第７例を示す工程図である。
このセッティング手段は、図９に示す第１のセッティング手段と、図１２に示す第２のセッティング手段を組み合わせた例である。
先ず、図１４（ａ）に示すように、カートリッジ１の前端部２１ａ側を当て板２６に載置して、下シェル２の後端部２１ｂを当て板６８で押圧し、棒状開口治具４６ａ、４６ｂの下シェル２側の先端部が当て板６８の前面より突出しないように配置しておく。そして、図１４（ｂ）に示すように、エアシリンダー２４ａ、２４ｂに取り付けられたカートリッジ押圧部２３ａ、２３ｂを突出させ、エアシリンダー４７ａ、４７ｂに取り付けられた棒状開口治具４６ａ、４６ｂを第１基準孔３７及び第２基準孔３８に挿入貫通させる。棒状開口治具４６ａ、４６ｂの下シェル２側の先端部を上シェル７の内面に押し当てることにより、上シェル７の後端部２１ｂを変形させて、カートリッジ１の後端部２１ｂを開口させる。
【００２７】
次に、図１４（ｃ）に示すように、エアシリンダ６２ａ、６２ｂに取り付けられたカートリッジ後側端開口治具６１ａ、６１ｂをカートリッジ１の後端部２１ｂの上下シェル７、２の側面間６３に挿入しておく。そして、図１４（ｄ）に示すように、カートリッジ後側端開口治具６１ａ、６１ｂを下降させることにより、ディスク３１を挿入するための後端開口部２７を形成させる。
次に、図１５（ａ）に示すように、棒状開口治具４６ａ、４６ｂをエアシリンダー４７ａ、４７ｂにより引き込んで当て板６８の前面より引き下げる。これにより、挿入されるディスク３１の径５８より狭い範囲に位置している棒状開口治具４６ａ、４６ｂがカートリッジ１の内側より排除されることになる。そして、図１５（ｂ）に示すように、ディスク３１をカートリッジ１の後端開口部２７から挿入する。
【００２８】
最後に、図１５（ｃ）に示すように、カートリッジ後側端開口治具６１ａ、６１ｂを上昇させてカートリッジ１の後端部２１ｂより離脱させることにより、カートリッジ１の後端開口部２７を結合させる。そして、上下シェル結合部３２をビス止めすることにより、ディスク３１が収納されたディスクカートリッジ３３が完成する。尚、セッティング手段の組み合わせは、この例に限られるものではなく、上述した各セッティング手段の任意の組み合わせが可能である。
【００２９】
図１６〜図１９は、カートリッジ１へのディスク３１のセッティング手段の第８例を示す工程図である。
このセッティング手段は、図１４、１５に示すセッティング手段の誤消去防止プラグ２２側の棒状開口治具４６ａ、４６ｂを誤消去防止プラグ押さえ治具（他端部開口手段）２０１に変更し、カートリッジ後側端開口治具６１ａ、６１ｂをカートリッジ後側端開口ローラ（他端部開口手段）２０２を有する誤消去防止プラグ押さえ板（他端部開口手段）２０３に変更し、カートリッジ１の後端開口部２７を形成する際に、誤消去防止プラグ２２の脱落を防止することができるセッティング手段である。これにより、図３１に示すような張出部１８１が形成された誤消去防止部材１８０や、凹部１３１ｉが形成された上シェル１３１を用いる必要がなく、単純な形状の誤消去防止プラグ２２及び上シェル７とすることができ、組立工程も単純化することができる。尚、図１６〜図１９では、誤消去防止プラグ２２の周辺部分のみを示して説明し、その他の部分は図１４及び図１５と同一であるので省略する。
【００３０】
先ず、図１６（ａ）に示すように、誤消去防止プラグ２２を上シェル７内に配置しておく。そして、図１６（ｂ）に示すように、エアシリンダー５１に取り付けられた誤消去防止プラグ押さえ治具２０１を誤消去防止プラグ操作孔４５に挿入貫通させる。誤消去防止プラグ押さえ治具２０１を誤消去防止プラグ２２に押し当てて保持し、さらに誤消去防止プラグ２２を介して上シェル７の内面を押圧することにより、上シェル７の後端部２１ｂを変形させて、カートリッジ１の後端部２１ｂを開口させる。
次に、図１７（ａ）に示すように、エアシリンダ６５に取り付けられたカートリッジ後側端開口ローラ２０２を有する誤消去防止プラグ押さえ板２０３をカートリッジ１の後端部２１ｂの上下シェル７、２の側面間６３に挿入する。そして、図１７（ｂ）に示すように、カートリッジ後側端開口ローラ２０２を有する誤消去防止プラグ押さえ板２０３を下降させることにより、誤消去防止プラグ２２を覆って保持させると共に、ディスク３１を挿入するための後端開口部２７を形成させる。
【００３１】
次に、図１８（ａ）に示すように、誤消去防止プラグ押さえ治具２０１をエアシリンダー５１により引き込んで当て板６８の前面より引き下げる。これにより、挿入されるディスク３１の径５８より狭い範囲に位置している誤消去防止プラグ押さえ治具２０１がカートリッジ１の内側より排除されることになるので、ディスク３１をカートリッジ１の後端開口部２７から挿入する。その後、図１８（ｂ）に示すように、誤消去防止プラグ押さえ治具２０１を誤消去防止プラグ２２に再度押し当てて保持させる。
最後に、図１９（ａ）に示すように、カートリッジ後側端開口ローラ２０２を有する誤消去防止プラグ押さえ板２０３を上昇させてカートリッジ１の後端部２１ｂより離脱させ、図１９（ｂ）に示すように、誤消去防止プラグ押さえ治具２０１をエアシリンダー５１により引き込んで、カートリッジ１の後端開口部２７を結合させる。そして、上下シェル結合部３２をビス止めすることにより、ディスク３１が収納されたディスクカートリッジ３３が完成する。
【００３２】
図２０は、カートリッジ１へのディスク３１のセッティング手段の第９例を示す斜視図である。
このセッティング手段は、ディスク厚よりも略（やや）厚めで前記ディスク径よりも略大径の扁平な筒型状に形成され、ディスク３１を挿入するためのディスク挿入孔７３及び挿入されたディスク３１をスライドさせるためのディスクスライドガイド板７５を有するディスクスライドガイド７２を備えている。これにより、カートリッジ１の後端開口部２７からディスク３１を挿入する際、このディスクスライドガイド７２のディスクスライドガイド板７５をカートリッジ１の中央部まで挿入し、ディスク３１をディスク挿入孔７３から挿入してディスクスライドガイド板７５に沿わせ、カートリッジ１の円弧状リブ７４と接触させることにより、ディスク３１に傷等をつけることなく、カートリッジ１への収納が可能となる。
【００３３】
ディスクスライドガイド７２の表面に、アニオン系、カチオン系、非イオン系などの界面活性剤や極性のある高分子からなる帯電防止剤をイソプロピルアルコールといった溶剤で希釈したものを、スプレーなどにより塗布して乾燥させることにより、帯電防止効果を付与することができる。さらに、ディスクスライドガイド７２の表面に、酸化スズ、アンチモン等の導電性微粉末をポリエステル系の樹脂に３重量％程度添加したものを塗布したり、ディスクスライドガイド７２をカーボン、制電性ポリマー等を充填した材料を用いて作成すれば、帯電防止効果をさらに長期間維持することができる。このように、ディスクスライドガイド７２に帯電防止効果を付与しておけば、ディスクスライドガイド７２の表面をディスク３１が滑る際に発生する摩擦帯電を抑制できることになり、塵埃が帯電したディスクスライドガイド７２の表面やディスク３１に付着することやディスク３１に傷を付けたりすることを防止することができる。
【００３４】
ディスクスライドガイド板７５は、例えば厚さ０．２ｍｍのステンレス薄板やＰＰ、ＰＥＴ（ポリエチレンテレフタレート）、ポリエチレン等の合成樹脂製板を切断加工して作成されている。ディスクスライドガイド板７５の表面は、ディスク３１をカートリッジ１の後端開口部２７より挿入する際にディスク３１に傷等を付けることのないように、滑らかに加工されている。また、ディスクスライドガイド板７５の先端は、カートリッジ１の円弧状リブ７４と接触しても円弧状リブ７４を傷付けたり破損させたりすることがないように、ディスク３１の外径と略同一のアール曲線として形成されている。
【００３５】
尚、図２１に示すように、下方を解放端とした舌片状のディスクスライドガイド板７７を有するディスクスライドガイド７８としても同様のディスクガイディング効果が得られる。ディスクスライドガイド板７７は、例えば厚さ０．０５ｍｍ〜０．２ｍｍ程度のポリエチレン、ＰＰ、ＰＥＴなどのシート材を用いて作成されている。
また、図２２に示すように、カートリッジ１の後端開口部２７からディスク３１を挿入する際、カートリッジ１の後端開口部２７を前端部２１ａよりも高くなるように傾けて配置しておく。これにより、ディスク３１をディスクスライドガイド板７５に沿わせて後端開口部２７からカートリッジ１内に滑り込ませることができるので、カートリッジ１への収納を容易に行うことが可能となる。
【００３６】
また、図２３に示すように、カートリッジ１の後端開口部２７からディスク３１を挿入する際、カートリッシ１の後端開口部２７が上に、前端部２１ａが下になるように略垂直に配置しておく。これにより、ディスク３１をディスクスライドガイド板７５に沿わせて後端開口部２７からカートリッジ１内に自由落下させることができるので、カートリッジ１への収納を極めて簡単に行うことが可能となる。
【００３７】
図２４は、カートリッジ１へのディスク３１のセッティング手段の第１０例を示す斜視図である。
このセッティング手段は、ディスク３１のチャッキングハブ２９を磁石の磁力を利用して磁気吸着して搬送するディスク保持具（磁気吸着搬送手段）８３を備えている。これにより、ディスク３１をディスクストッカー８２から取りだしてカートリッジ１の後端開口部２７に挿入する際に、ディスク３１の記録エリア２８などを保持する必要がないので、ディスク３１の記録エリア２８に傷等を付けることなく、カートリッジ１への収納を簡単に行うことが可能になる。
【００３８】
ディスク保持具８３は、図２５、２６に示すように、エアシリンダー８５のスピンドル８６の先端部に取り付けたフランジ８７の先端に、磁性金属製のチャッキングハブ２９の略中央に形成されている記録再生装置駆動軸挿入孔８８の径より略小径としたチャッキングハブ係合軸８９が設けられ、チャッキングハブ係合軸８９を取り囲むように磁石９１が取付けられている。
このディスク保持具８３の動作は、図２６（Ａ）に示すように、エアシリンダー８５が押し出された状態で、チャッキングハブ２９の記録再生装置駆動軸挿入孔８８にチャッキングハブ係合軸８９が挿入されると、磁石９１にチャッキングハブ２９が吸着保持されるので、この状態でディスク３１の移動その他の動作が行われる。
そして、図２６（Ｂ）に示すように、エアシリンダー８５を矢印９２方向に引き入れることにより、チャッキングハブ係合軸８９も引き込まれ、チャッキングハブ係合軸８９に保持されているディスク３１も矢印９２方向に移動するが、ディスク３１はエアシリンダー８５に連接されている円環状内壁を有するホルダー９３の前端部９４に阻まれ、チャッキングハブ係合軸８９のみがホルダー９３に収納されることになるので、ディスク３１は磁石９１による保持力を失ってディスク保持具８３より脱落することになる。
【００３９】
図２７に示すように、上述した各実施形態におけるカートリッジ１を構成する上下シェル７、２のディスク収納エリア９５を除く略中央より前端部２１ａ側は、超音波などを利用した樹脂溶着方法にて結合されている。これにより、広い範囲に渡り前端部２１ａを強固に溶着することができることになり、後端部２１ｂの開口時に上下シェル７、２の前端結合部９６が剥離してしまうことを防止することができる。
また、カートリッジ１の後端部２１ｂを開口してディスク３１を挿入し、ディスク３１の品質検査を行ったときに異常の見られたディスク３１は、カートリッジ１の後端部２１ｂの結合作業を行う前に、再度カートリッジ１の後端部２１ｂを開口してディスク３１を取り出すことができるので、部品の歩留まりの確保と品質の維持が可能となる。
【００４０】
また、図２８に示すように、カートリッジ１にディスク３１を挿入した後にカートリッジ１の後端部２１ｂをビス９７にて螺錠結合することにより、超音波溶着などのように振動を利用した結合の場合に発生するカートリッジ１の内面とディスク３１の擦れによる傷や摩耗が回避されることになり、ディスク３１の品質を劣化させることなくディスクカートリッジの生産が可能となる。
また、図２９に示すように、カートリッジ１の下シェル２と上シェル７とを仮止めするために、上シェル７に係合片９８を形成し、下シェル２に係合片９８と係合し上下シェルの後端部２１ｂを仮止めするための係合孔９９を形成しておけば、カートリッジ１に挿入されたディスク３１を記録再生装置にて検査する際、カートリッジ１の後端部２１ｂが開口し、挿入されたディスク３１がカートリッジ１より飛び出て傷がついたり、カートリッジ１の後端部２１ｂが浮き上がり、カートリッジ１が記録再生装置より排出不能となるような事故を回避することができる。さらに、係合凸部１０１を下シェル２のビス挿入孔外壁１０２に形成し、係合凸部１０１と係合する孔１０３を対応する上シェル７に形成しておいてもよい。尚、上下シェル７、２の仮止め機構は、カートリッジ１の後端部２１ｂのみならず、カートリッジ１の略中央から後端部２１ｂへの側部に形成しても、同様に仮止め効果を得ることができる。
【００４１】
上述した実施形態によれば、カートリッジ部品を組み立てた後に清浄なエアを使用しエアクリーニングすればよいので、それほど厳密に管理されたクリーンルームを必要としないでも、ディスクカートリッジの組立を行うことができる。また、部品組み込み後のカートリッジを使用することより、厳密なタクトの同期性が必要無くなる。さらに、ディスクをカートリッジ内で検査した後、ビスにて上下シェルを結合することより、不良なったディスクの取り出し、交換が容易となり、またカートリッジの後端をビス止めしないことにより、何度もカートリッジの使用が可能となり、カートリッジが無駄にならない。
【００４２】
【発明の効果】
以上のように、本発明によれば、大掛かりな製造設備を不要とし、製造効率を向上させることができる。
【図面の簡単な説明】
【図１】本発明のディスクカートリッジの実施形態を構成するカートリッジを示す分解斜視図。
【図２】図１のカートリッジへのディスクのセッティング手段の第１例を示す斜視図。
【図３】図２の側面図。
【図４】図２の第１例に用いられるセッティング手段の変形例を示す図。
【図５】図１のカートリッジへのディスクのセッティング手段の第２例を示す斜視図。
【図６】図５の側面図。
【図７】図５の第２例に用いられるセッティング手段の変形例を示す図。
【図８】図５の第２例に用いられるセッティング手段の別の変形例を示す図。
【図９】図１のカートリッジへのディスクのセッティング手段の第３例を示す断面側面図。
【図１０】図１のカートリッジへのディスクのセッティング手段の第４例を示す斜視図。
【図１１】図１０の三面図。
【図１２】図１のカートリッジへのディスクのセッティング手段の第５例を示す側面図。
【図１３】図１のカートリッジへのディスクのセッティング手段の第６例を示す斜視図。
【図１４】図１のカートリッジへのディスクのセッティング手段の第７例を示す第１の工程図。
【図１５】図１のカートリッジへのディスクのセッティング手段の第７例を示す第２の工程図。
【図１６】図１のカートリッジへのディスクのセッティング手段の第８例を示す第１の工程図。
【図１７】図１のカートリッジへのディスクのセッティング手段の第８例を示す第２の工程図。
【図１８】図１のカートリッジへのディスクのセッティング手段の第８例を示す第３の工程図。
【図１９】図１のカートリッジへのディスクのセッティング手段の第８例を示す第４の工程図。
【図２０】図１のカートリッジへのディスクのセッティング手段の第９例を示す斜視図。
【図２１】図２０の第９例に用いられるセッティング手段の変形例を示す図。
【図２２】図２０の第９例に用いられるセッティング手段の別の変形例を示す図。
【図２３】図２０の第９例に用いられるセッティング手段のさらに別の変形例を示す図。
【図２４】図１のカートリッジへのディスクのセッティング手段の第１０例を示す斜視図。
【図２５】図２０の第１０例に用いられるセッティング手段の詳細を示す図。
【図２６】図２０の第１０例に用いられるセッティング手段の動作を示す図。
【図２７】図１のカートリッジの接合状態を示す第１斜視図。
【図２８】図１のカートリッジの接合状態を示す第２斜視図。
【図２９】図１のカートリッジの接合状態を示す第３斜視図。
【図３０】従来のディスクカートリッジの一例を示す分解斜視図。
【図３１】図３０のディスクカートリッジの主要部を示す斜視図。
【図３２】図３０のディスクカートリッジの開口例を示す斜視図。
【符号の説明】
１・・・カートリッジ、２・・・下シェル、７・・・上シェル、２１ａ・・・前端部、２１ｂ・・・後端部、２７・・・後端開口部、３１・・・ディスク
【図１】
0004320833.tif 000002
【図２】
0004320833.tif 000003
【図３】
0004320833.tif 000004
【図４】
0004320833.tif 000005
【図５】
0004320833.tif 000006
【図６】
0004320833.tif 000007
【図７】
0004320833.tif 000008
【図８】
0004320833.tif 000009
【図９】
0004320833.tif 000010
【図１０】
0004320833.tif 000011
【図１１】
0004320833.tif 000012
【図１２】
0004320833.tif 000013
【図１３】
0004320833.tif 000014
【図１４】
0004320833.tif 000015
【図１５】
0004320833.tif 000016
【図１６】
0004320833.tif 000017
【図１７】
0004320833.tif 000018
【図１８】
0004320833.tif 000019
【図１９】
0004320833.tif 000020
【図２０】
0004320833.tif 000021
【図２１】
0004320833.tif 000022
【図２２】
0004320833.tif 000023
【図２３】
0004320833.tif 000024
【図２４】
0004320833.tif 000025
【図２５】
0004320833.tif 000026
【図２６】
0004320833.tif 000027
【図２７】
0004320833.tif 000028
【図２８】
0004320833.tif 000029
【図２９】
0004320833.tif 000030
【図３０】
0004320833.tif 000031
【図３１】
0004320833.tif 000032
【図３２】
0004320833.tif 000033